(57)【特許請求の範囲】
【請求項１】
長手方向及びそれと交差する幅方向と、身体対向面及びその反対側の非身体対向面と、前記長手方向において対向する第１及び第２端縁と、愛玩動物の尻尾と対向する尻尾対向域と、前記尻尾対向域から前記第１端縁側へ延びる、前記愛玩動物の一方の尻部を被覆する第１区域と、前記尻尾対向域から前記第２端縁側へ延びる、前記愛玩動物の他方の尻部を被覆する第２区域と、前記第１区域と前記第２区域とに位置する吸収性コアと、前記第１区域に位置し、前記第２区域の受止部に止着可能な止着部とを有し、
前記尻尾対向域には、前記尻尾を配置するための切欠が位置することを特徴とする愛玩動物用の吸収性物品。
【請求項２】
前記止着部は、前記第１区域の非身体対向面に位置し、前記受止部は、前記第２区域の身体対向面に位置する請求項１に記載の吸収性物品。
【請求項３】
前記止着部は、前記第１区域の身体対向面に位置し、前記受止部は、前記第２区域の身体対向面又は非身体対向面に位置する請求項１に記載の吸収性物品。
【請求項４】
前記第１区域に固定された固定部と、前記第１端縁から前記長手方向の外側へ延び、前記第２区域に止着可能な自由部とを有するテープファスナをさらに有し、前記止着部は前記自由部に配置される請求項１に記載の吸収性物品。
【請求項５】
前記幅方向の寸法を２等分する第１軸をさらに有し、前記止着部は、前記第１区域の前記第１軸上に位置する請求項１〜４のいずれかに記載の吸収性物品。
【請求項６】
前記幅方向の寸法を２等分する第１軸と、吸収性コアの両側縁の前記幅方向の外側において前記長手方向へ延びる両側部をさらに有し、一方側部側には前記尻尾対向域が位置する請求項１〜４のいずれかに記載の吸収性物品。
【請求項７】
前記止着部は、前記一方側部と前記第１軸との間に位置する請求項６に記載の吸収性物品。
【請求項８】
前記両側部のうちの他方側部には、前記長手方向へ延びる第１弾性部材が配置される請求項６又は７に記載の吸収性物品。
【請求項９】
前記尻尾対向域の位置する前記一方側部には、前記長手方向へ延びる第２弾性部材が配置される請求項６〜８のいずれかに記載の吸収性物品。
【請求項１０】
着用状態において、前記一方側部は、前記愛玩動物の身体に対して斜め下方に延びる請求項６〜９のいずれかに記載の吸収性物品。
【発明の詳細な説明】
【技術分野】
【０００１】
本発明は、犬や猫等の愛玩動物（ペット）の排泄物を吸収するための吸収性物品に関する。
【背景技術】
【０００２】
従来、犬や猫等の愛玩動物の身体に着用させるための吸収性物品は公知である。例えば、特許文献１には、腹側域と、背側域と、背側域と腹側域との間に位置する中間域と、透液性を有する内層シートと、不透液性を有する外層シートと、内外層シート間に介在された吸収性コアとを有する愛玩動物用の吸収性物品が開示されている。
【０００３】
特許文献２には、透液性の内層シートと、不透液性の外層シートと、内外層シート間に介在された吸収性コアとを有し、愛玩動物の胴回りに巻き付けるように着用させる愛玩動物用の吸収性物品が開示されている。
【先行技術文献】
【特許文献】
【０００４】
【特許文献１】特開２００４−１５９５９１号公報（Ｐ２００４−１５９５９１Ａ）
【特許文献２】特開２０１２−１８７０９５号公報（Ｐ２０１２−１８７０９５Ａ）
【発明の概要】
【発明が解決しようとする課題】
【０００５】
特許文献１に開示された愛玩動物用の吸収性物品は、主として雌用であって、腹側域と背側域とを連結することによって排泄口（陰門）を被覆した状態で愛玩動物の身体に着用させることによって中間域の曲状を有する両側縁が後肢に沿うようにフィットされるので、排泄物の漏れを防止することができる。
【０００６】
特許文献２に開示された愛玩動物用の吸収性物品は、主として雄用であって、胴回りに巻き付けた状態で両端部分を互いに止着することによって、排泄口を被覆した状態で着用させることができ、排泄物の漏れを防止することができる。
【０００７】
しかし、愛玩動物が比較的に高齢（１０歳〜２０歳）の場合には、寝たきりの状態となり、身体の左右いずれかの側面が常時床面に当接した状態となる。このように、比較的に長時間横臥した状態を維持することによって褥瘡を発生するおそれがある。褥瘡は、内部が蒸れた状態で身体の一部に圧力が掛かることによって生じるおそれがあるところ、高齢の愛玩動物がこれらの吸収性物品を着用した場合には、排泄物によって内部が蒸れて湿潤状態となり、より褥瘡が発生しやすくなる。一方、かかる内部の蒸れを防止するために、吸収性物品を着用させずに、吸収性シートを床面に配置した場合には、排泄物によって身体が汚れるとともに、排泄物が床面に拡がって吸収性シートから外に流れ出るおそれがある。
【０００８】
一方、寝たきりの愛玩動物であっても、脚部だけを動かすことができる場合があり、吸収性物品を身体に安定的に取り付けていない場合には、かかる脚部の動きによって身体から外れて、体液を吸収することができないおそれがある。
【０００９】
本発明は、従来の愛玩動物用の吸収性物品の改良であって、寝たきり状態の愛玩動物に適した吸収性物品の提供を課題にしている。
【課題を解決するための手段】
【００１０】
前記課題を解決するために、本発明は、長手方向及びそれと交差する幅方向と、身体対向面及びその反対側の非身体対向面と、前記長手方向において対向する第１及び第２端縁と、愛玩動物の尻尾と対向する尻尾対向域と、前記尻尾対向域から前記第１端縁側へ延びる、前記愛玩動物の一方の尻部を被覆する第１区域と、前記尻尾対向域から前記第２端縁側へ延びる、前記愛玩動物の他方の尻部を被覆する第２区域と、前記第１区域と前記第２区域とに位置する吸収性コアと、前記第１区域に位置し、前記第２区域の受止部に止着可能な止着部とを有し、前記尻尾対向域には、前記尻尾を配置するための切欠が位置することを特徴とする愛玩動物用の吸収性物品を対象としている。
【００１１】
前記止着部は、前記第１区域の非身体対向面に位置し、前記受止部は、前記第２区域の身体対向面に位置するので、第１区域と第２区域とを連結することができ、脚部の動きによって吸収性物品が身体から外れてしまうおそれはない。
【００１２】
前記止着部は、前記第１区域の身体対向面に位置し、前記受止部は、前記第２区域の身体対向面又は非身体対向面に位置するので、第１区域と第２区域との端部は、重畳状又は合掌状に連結される。
【００１３】
前記第１区域に固定された固定部と、前記第１端縁から前記長手方向の外側へ延び、前記第２区域に止着可能な自由部とを有するテープファスナをさらに有し、前記止着部は前記自由部に位置しているので、比較的に大きな身体を有する愛玩動物に対しても着用させることができるとともに、テープファスナを廃棄用テープとしても利用することができる。
【００１４】
前記幅方向の寸法を２等分する第１軸をさらに有し、前記止着部は、前記第１区域の前記第１軸上に位置するので、第１及び第２区域をバランスよく連結することができる。
【００１５】
前記幅方向の寸法を２等分する第１軸と、吸収性コアの両側縁の前記幅方向の外側において前記長手方向へ延びる両側部をさらに有し、一方側部側には前記尻尾対向域が位置するので、尻尾対向域において尻尾に安定的に取り付け、装着操作をスムーズに行うことができる。
【００１６】
前記止着部は、前記一方側部と前記第１軸との間に位置するので、尻尾対向域が位置する一方側部を他方側部側に引き付けて止着することができ、より身体へのフィット性が向上する。
【００１７】
前記両側部のうちの他方側部には、前記長手方向へ延びる第１弾性部材が配置されるので、他方側部が脚部周りにフィットされる。
【００１８】
前記尻尾対向域の位置する前記一方側部には、前記長手方向へ延びる第２弾性部材が配置されるので、背側に対するフィット性が向上する。
【００１９】
着用状態において、前記一方側部は、前記愛玩動物の身体に対して斜め下方に延びるので、吸収性物品に被覆される胴体の部分が少なくなり、吸収性物品内部の蒸れを抑制することができる。
【発明の効果】
【００２０】
本発明の１つ以上の実施の形態に係る愛玩動物用の吸収性物品では、愛玩動物の尻尾と対向する尻尾対向域と、それぞれ尻部を被覆する第１区域と第２区域を有することから、寝たきりの愛玩動物が横臥した状態において、床面側に移動した比較的に多量の排泄物を吸収性コアに速やかに吸収させることができ、内部の蒸れや褥瘡の発生を防ぐことができる。また、止着部によって第１区域と第２区域とを取外し可能に連結することができるので、脚周りに対するフィット性を向上させることができる。
【図面の簡単な説明】
【００２１】
図面は、本発明の特定の実施の形態を示し、発明の不可欠な構成ばかりでなく、選択的及び好ましい実施の形態を含む。
【図１】本発明の第１実施形態に係る愛玩動物用の吸収性物品を着用した愛玩動物が横臥した様子を示す図。
【図２】各弾性部材の最大伸長時（弾性材部材の収縮作用によるギャザーがなくなる程度）まで長手方向及び幅方向に伸展した吸収性物品を身体対向面側から視た一部破断展開平面図。
【図３】図２と同様に伸展した状態において、吸収性物品を非身体対向面側から視た展開平面図。
【図４】図２のＩＶ−ＩＶ線に沿う断面図。
【図５】愛玩動物が図１と反対側の方向へ横臥した様子を示す図。
【図６】吸収性物品を着用した愛玩動物を後側から視た様子を示す図。
【図７】（ａ）変形例の一例における吸収性物品の図２と同様の展開平面図。  （ｂ）変形例の一例における吸収性物品を使用するときの態様を示す図。
【図８】（ａ）他の変形例の一例における吸収性物品の図３と同様の展開平面図。  （ｂ）図８（ａ）のＶＩＩＩ（ｂ）−ＶＩＩＩ（ｂ）線に沿う断面図。
【発明を実施するための形態】
【００２２】
下記の各実施の形態は、図１〜図８に示す愛玩動物用の吸収性物品に関し、発明の不可欠な構成ばかりではなく、選択的及び好ましい構成を含む。
【００２３】
図１〜図４を参照すると、愛玩動物（ペット）用の吸収性物品１０は、互いに交差する長手方向Ｙ及び幅方向Ｘと、幅方向Ｘの寸法を２等分する第１軸Ｐと、長手方向Ｙの寸法を２等分する第２軸Ｑと、愛玩動物５の身体と対向する身体対向面とその反対側に位置する非身体対向面とを有する。吸収性物品１０は、長手方向Ｙにおいて互いに対向する第１端縁１０ａと第２端縁１０ｂと、それらの間において長手方向Ｙへ延びる両側縁１０ｃ，１０ｄとによって画成された長手方向Ｙへ長い矩形状を有する。
【００２４】
吸収性物品１０は、愛玩動物５の尻尾と対向する尻尾対向域１３と、尻尾対向域１３から第１端縁１０ａ側へ延びる、愛玩動物５の一方の尻部を被覆する第１区域１１と、尻尾対向域１３から第２端縁１０ｂ側へ延びる、愛玩動物５の他方の尻部を被覆する第２区域１２とを有する。
【００２５】
図３を参照すると、第１区域１１の非身体対向面（外面）には、第２区域１２に取り外し可能に止着される止着部２１が配置されている。第２区域１２の身体対向面（非身体対向面でもよい）には、止着部２１が止着される受止部２２が位置する。
【００２６】
図２を参照すると、吸収性物品１０の長手方向Ｙの寸法Ｌ１は約３００〜１０００ｍｍ、幅方向Ｘの寸法Ｗ１は約８０〜５００ｍｍである。第１区域１１及び第２区域１２の長手方向Ｙの寸法Ｌ２，Ｌ３は、それぞれ約１５０〜５００ｍｍである。
【００２７】
吸収性物品１０は、身体対向面側に位置する透液性の内層シート２０と、透湿性プラスチックフィルム、繊維不織布、それらのラミネートシート等から形成され、非身体対向面側に位置する不透液性の外層シート３０と、内外層シート２０，３０間の間に介在された第１及び第２区域１１，１２に位置する吸収性コア１５とをさらに含む。また、吸収性コア１５と外層シート３０との間には、不透液性かつ透湿性のプラスチックフィルムから形成された防漏シート４０が配置されている。内外層シート２０，３０と防漏シート４０とは、吸収性コア１５の周縁から延出しており、互いに重なる各シート２０，３０，４０の延出部分が、それぞれ少なくともいずれか一方の内面に塗布されたホットメルト接着剤を介して互いに接合される。
【００２８】
吸収性物品１０の身体対向面側（又は内層シート２０の身体対向面）には、さらに、第１及び第２側縁１０ｃ，１０ｄに沿って長手方向Ｙへ延びる一対の被覆シート５０が配置される。被覆シート５０は、透液性又は不透液性の繊維不織布、プラスチックフィルム、それらのラミネートシート等から形成される。被覆シート５０は、内層シート２０を被覆して固定されるともに、内層シート２０の両側縁から幅方向Ｘの外側へ延出する外層シート３０の延出部分とホットメルト接着剤（図示せず）を介して互いに固定される。このように、内層シート２０の両側縁部が被覆シート５０に被覆され、かつ、吸収性物品１０の両側縁部が不透液性のシートから形成されることから、内層シート２０の両側縁から滲出した尿が外部に漏れ出るのを防止することができる。
【００２９】
吸収性コア１５は、長手方向Ｙにおいて対向する両端縁１５ａ，１５ｂとそれらの間において長手方向Ｙへ延びる両側縁１５ｃ，１５ｄとから画成された矩形状であって、不水溶性かつ自己質量の１０倍以上の吸水力を有するいわゆる高吸収性ポリマー（ＳＡＰ）粒子、木材フラッフパルプ、オプションとして熱可塑性繊維を僅かに含む混合物から形成される。吸収性コア１５は、親水性かつ液拡散性を有する不織布又はティッシュペーパから形成されたコアカバーシート（図示せず）によって包被される。コアカバーシートは、内層シート２０及び／又は防漏シート４０とホットメルト接着剤を介して接合されている。
【００３０】
図２及び図３を参照すると、吸収性物品１０は、吸収性コア１５の両側縁１５ｃ，１５ｄの幅方向Ｘの外側において長手方向Ｙへ延びる第１及び第２側部（両側部）１６，１７と、幅方向Ｘにおいて第１及び第２側部１６，１７間に位置する中央部１８とを有する。第１側部１６を形成する外層シート３０と被覆シート５０との間には、長手方向Ｙへ延びるストリング状又はストランド状の弾性部材（第１弾性部材）６１が伸長状態で収縮可能に取り付けられる。第１側部１６の側縁部１６ａには、弾性部材６１の収縮力が作用する弾性部が形成され、着用状態において、側縁部１６ａはフリル状を有する。一方、第２側部１７においては、長手方向Ｙへ延びる第２弾性部材６２が固定されている。第２側部１７に第２弾性部材６２が配置されていることによって、第２側部１７の側縁部１７ａには、第２弾性部材６２の収縮力の作用したフリル状の弾性部が形成される。
【００３１】
また、被覆シート５０は、それぞれ、第１端縁１０ａと第２端縁１０ｂ側において内層シート２０に固定された両端固定部７１，７２と、両端固定部７１，７２間において長手方向Ｙへ延び、かつ、内層シート２０に固定された固定側部（近位部）７３と、固定側部７３の幅方向Ｘの内側（又は外側）に位置する自由部７４とを有する。自由部７４は、被覆シート５０の側縁部を折り曲げて形成されたスリーブ状の自由縁部７４ａを有し、自由縁部７４ａの内部には第３弾性部材（カフ弾性体）６３が伸長状態で収縮可能に取り付けられる。吸収性物品１０の着用状態において、第３弾性部材６３が伸長されることによって、自由部７４が内層シート２０から離間して起立し、一対の立体カフ（バリアカフ）が形成される。立体カフが形成されることによって、排泄物が背側及び脚側へ移動するのを防止することができる。第１及び第２側部１６，１７に位置する被覆シート５０の自由部７４は、両端固定部７１，７２において幅方向Ｘの内側へ倒伏した状態で内層シート２０の身体対向面に固定されている。
【００３２】
被覆シート５０の自由部７４は、本実施形態と異なり、幅方向Ｘの外側へ倒伏した状態で固定されていてもよいし、両端固定部７１，７２の少なくとも一方が固定されていなくてもよい。両端固定部７１，７２が非固定の場合には、被覆シート５０の自由部７４全体が幅方向Ｘの内側及び／又は外側へ倒伏可能であって、必要に応じて適した態様に倒伏させることができる。
【００３３】
図２及び図３を参照すると、止着部２１は、第１区域１１の非肌対向面において吸収性コア１５の端縁１５ａと吸収性物品１０の端縁１０ａとの間に位置する第１区域１１の端部１１Ａに配置されている。止着部２１は、矩形状であって、被覆シート５０の外面に取り付けられた基材シートと、基材シートに固定されたメカニカルファスナのフック群から形成されたファスニング要素とを有する。止着部２１が脱離可能に止着される受止部２２は、第２区域１２の肌対向面において吸収性コア１５の端縁１５ｂと吸収性物品１０の端縁１０ｂとの間に位置する第２区域１２の端部１２Ａに配置されている。受止部２２は、内層シートを形成する繊維不織布から形成される。止着部２１のフック要素の係合し易いように、受止部２２を形成する部分においてエンボス加工が施されていてもよいし、内層シートとしてエンボス加工が施されていない長繊維からなるスパンボンド繊維不織布を用いてもよい。また、内層シート２０のうちの受止部２２の位置する領域に、メカニカルファスナのループ群を有するターゲットシートを配置してもよい。さらに、止着部２１と受止部２２とが、所要の止着強度を有する限りにおいて、止着部２１としてフック群の代わりに、その表面にシリコンを塗布したセパレータで被覆された粘着剤を用いてもよい。
【００３４】
図３を参照すると、止着部２１の幅寸法Ｗ２は、約２０ｍｍであって、吸収性物品１０の幅方向Ｘの寸法Ｗ１の約１０％の大きさである。止着部２１の幅寸法Ｗ２が吸収性物品１０の幅方向Ｘの寸法Ｗ１の約５％以下の大きさである場合には、着用中に愛玩動物が身体の向きを入れ替えた時などに止着部２１による止着が解除されるおそれがあり、一方、寸法Ｗ２が寸法Ｗ１の約８０％の大きさである場合には、第１区域１１の端部１１Ａが幅方向Ｘにおいて比較的に広い範囲で第２区域１２の端部１２Ａと連結されるので、吸収性物品１０の内部が蒸れ易くなるおそれがある。また、止着部２１のうちの吸収性物品１０の端縁１０ａと対向する端縁２１ａは、吸収性物品１０の端縁１０ａから長手方向Ｙの内側に位置しており、端縁１０ａ，２１ａ間の長手方向Ｙの離間寸法Ｒは、約１０ｍｍである。このように、例えば、第１区域１１の端部１１Ａを把持して止着部２１を第２区域１２の端部１２Ａに位置する受止部２２に止着操作するときに、かかる離間部分が摘持部分となり、指先が止着部２１のファスニング要素に直接触れて肌に刺激を受けたりするおそれはない。
【００３５】
止着部２１は、第１区域１１の端部１１Ａにおいて第１軸Ｐ上に位置している。このように、止着部２１が第１軸Ｐ上に位置することによって、止着部２１が第１軸Ｐから第１側部１６又は第２側部１７のいずれか一方の側に配置される場合に比して、端部１１Ａと端部１２Ａとをバランスよく連結することができる。ただし、止着部２１を第１軸Ｐ上ではなく、第１側部１６又は第２側部１７のうちのいずれか一方の側に偏倚して位置する場合には、尻尾対向域１３の位置する第２側部１７側に位置することが好ましい。すなわち、止着部２１が第１軸Ｐと第１側部１６との間に位置する場合には、愛玩動物５の背面に当接される第１側部１６を脚部７側へ引き付けた状態で止着されるので、吸収性物品１０の身体に対するフィット性を向上させることができる。一方、止着部２１が第１軸Ｐと第１側部１６との間に位置する場合には、愛玩動物５の脚部７の動きを抑制するおそれがある。
【００３６】
図２を参照すると、尻尾対向域１３には、愛玩動物５の尻尾６を配置するための略Ｕ字状の切欠１３ａが位置する。切欠１３ａは、吸収性物品１０の平面視において互いに重なる被覆シート５０、内層シート２０、防漏シート４０及び外層シート３０から形成されたシート層の一部を切断して形成してもよいし、切断と同時に切断面を溶着又は接着によって接合してもよい。また、これらの複数シートの一部に予め切欠を設け、互いに積層して接合することによって形成してもよい。切欠１３ａは、幅方向Ｘの外側へ凸曲した形状を有しているが、愛玩動物５の尻尾６の大きさや形状に合わせてライン状、円形、矩形状等の各種公知の形状であってもよい。また、切欠１３ａは、愛玩動物５の尻尾６を配置できる程度の大きさを有していればよいが、尻尾６の真下に位置する肛門９から排泄される排泄物（糞）を外部から排出できるように、肛門９と対向してそれを露出させることができる程度の大きさを有していてもよい（図６参照）。
【００３７】
ここで、尻尾対向域１３とは、吸収性物品１０を着用する愛玩動物５の尻尾６と対向する領域である。また、尻尾６を有しない愛玩動物５が着用する場合であっても、愛玩動物５の尻部を被覆する第１及び第２区域１１，１２の境界となる領域として存在する。また、尻尾対向域１３には、尻尾６の形状に沿う切欠１３ａが配置されていなくてもよいし、切欠１３ａに代わって、吸収性物品１０の一部を切断して形成された、複数のミシン目からなる略Ｕ字状の切断ラインが配置されていてもよい。尻尾対向域１３に切断ラインが配置される場合には、各シート２０，３０が接合又は非接合された状態における切断ラインに囲まれた舌片を外側へ向けて折り曲げることによって開口が形成される。舌片は、吸収性物品１０から分離（切り取り）可能であって、舌片を分離することによって、舌片に肛門９から排泄された排泄物がそれに付着するのを防止することができる。さらに、尻尾対向域１３には、切欠１３ａ、ミシン目による切断ラインのほかに、吸収性物品１０の一部をくり抜くことによって形成された尻尾を挿通可能な開口が配置されていてもよい。また、開口部を形成する場合には、開口部に尻尾６を挿通することによって、着用操作中及び着用中における、吸収性物品１０の位置ずれを防止しうる。
【００３８】
本実施形態において、切欠１３ａは、第２軸Ｑと交差し、かつ、それに関して対称に形成されている。既述のとおり、第１及び第２区域１１，１２は、それぞれ、切欠１３ａの位置する尻尾対向域１３から第１及び第２端縁１０ａ，１０ｂ側へ延びる領域であって、具体的には、それぞれ、第２軸Ｑから第１及び第２端縁１０ａ，１０ｂ側へ延びる領域を意味する。したがって、第１区域１１の長手方向Ｙの寸法Ｌ２と第２区域１２の長手方向Ｙの寸法Ｌ３とは、ほぼ同じであって、各寸法Ｌ２，Ｌ３は吸収性物品１０の長手方向Ｙの寸法Ｌ１の約５０％の大きさである。愛玩動物５の左右側のいずれかが床面４に当接した状態であっても、床面４側（下方側）へ移動した尿の吸収容量がほぼ同じになるように、第１区域１１の寸法Ｌ２と第２区域１２の寸法Ｌ３とは、ほぼ同じであることが好ましい。ただし、切欠１３ａは、第２軸Ｑと交差せずに、第１端縁１０ａ側又は第２端縁１０ｂ側へ偏倚して位置していてもよく、かかる場合には、尻尾対向域１３（又は切欠１３ａ）の長手寸法の中央部を基準として第１及び第２区域１１，１２が区分される。したがって、第１区域１１の寸法Ｌ２と第２区域１２の寸法Ｌ３との関係において、前者が後者よりも大きくてもよいし、後者が前者よりも大きくてもよく、寸法Ｌ２，Ｌ３が寸法Ｌ１の約４０〜６０％の大きさであってもよい。
【００３９】
図１，図５及び図６を参照すると、吸収性物品１０を寝たきりの愛玩動物５に着用させるときには、まず、第１区域１１（又は第２区域１２）を床面４に当接されていない愛玩動物５の一方の臀部に宛がいながら尻尾対向域１３に位置する切欠１３ａ内に尻尾６を位置させる。次に、愛玩動物の身体を持ち上げて床面４に当接された他方の臀部に第２区域１２（又は第１区域１１）を宛がって、第２区域１２の端部１２Ａと把持して第１区域１１側へ引っ張り、端部１２Ａの肌対向面側に位置する受止部２２を第１区域１１の端部１１Ａの非肌対向面側に位置する止着部２１に押し当てて止着する。
【００４０】
比較的に高齢（１０歳以上）の愛玩動物５は、体を休めるときであっても、腹這いになった状態を維持することができず、半身が床面４に当接させたまま寝たきりの状態となる。愛玩動物５がかかる横臥した状態において排尿をしたときには、排泄された尿が床面４において愛玩動物５の背側及び／又は後側に拡がるように移動するおそれがある。愛玩動物用のおむつとして通常使用されている、腹側域と背側域とを係止手段で連結するタイプの雌用の吸収性物品や胴回りに巻き付けた状態で両端部どうしを連結するタイプの雄用の吸収性物品においては、愛玩動物が立位、座位及びうつ伏せ状態において排尿したときを想定したものであって、排泄口を身体の延びる方向（前後方向）へ延在する吸収性コアで被覆して尿を速やかに吸収して前後方向へ拡散するものである。したがって、愛玩動物が横臥状態の場合には、床面に当接した部分に位置する吸収性コアの面積が比較的に小さく、愛玩動物の背側及び後側へ拡がるように移動する体液を十分に吸収することができず、尿が吸収性物品の外部に漏れ出るおそれがある。また、これらの吸収性物品においては、排泄物の漏れを防止するために、内部が閉じられた空間となっている。そのために、排尿によって内部が蒸れ易く、比較的に長時間愛玩動物が横臥して身体の一部に圧力が掛かっているときには、褥瘡が生じたり、それを悪化させたりおそれがある。一方、このような吸収性物品の内部の蒸れによる褥瘡の発生を防止するために、吸収性物品を着用させずに吸収性シートを床面に配置した場合には、吸収性シート上に拡がった尿によって身体が広範囲に汚れるおそれがある。
【００４１】
本実施形態に係る吸収性物品１０においては、第１及び第２区域１１，１２によって床面４に当接された下半身の左右一方側全体が被覆され、第１及び第２区域１１，１２には、比較的に大きな面積を有する吸収性コア１５が位置することから、肛門９から排泄された比較的に多量の尿を速やかに吸収するとともに、吸収性物品１０から外部に漏れ出るのを抑制することができる。
【００４２】
また、愛玩動物５の身体の一部に褥瘡が発生するのを防止するために、介護者が愛玩動物５の横臥している向き（上下）を変える必要がある。例えば、図１に示すように、吸収性物品１０の第２区域１２が床面４に当接した状態から所定時間経過後（例えば、２時間経過後）に、介護者が一方の手を床面４と第２区域１２との間に差し入れて抑え、他方の手で第１区域１１を尻部に押し付けるようにして抑え、吸収性物品１０を尻部に宛がった状態のまま愛玩動物５を持ち上げてひっくり返す。そうして、第１区域１１が床面４に当接した状態とすることによって、すなわち、床面４に対する体の向きを入れ替えることによって、褥瘡の発生を防止することができる。
【００４３】
また、寝たきりの愛玩動物５であっても、比較的に健康な状態であれば脚部を比較的に大きく動かすことがあり、第１及び第２区域１１，１２が連結されていない場合には、第１及び／又は第２区域１１，１２の全体又は一部が身体から離れるようにはだけてしまい、吸収性コア１５によって体液を吸収することができないおそれがある。本実施形態に係る吸収性物品１０においては、第１及び第２区域１１，１２の一部が、それらに位置する止着部２１と受止部２２とによって互いに連結されるので、愛玩動物５が脚部を比較的に大きく動かしたときであっても、第１及び第２区域１１，１２が身体から離れることはない。さらに、このように、吸収性物品１０では、第１区域１１と第２区域１２との一部が止着部２１と受止部２２とによって連結されており、その幅方向全体が互いに連結されているものではないから、愛玩動物の腹部が圧迫されたり、その内部は密閉されずに開放状態にあり、排尿によって内部が蒸れることはなく、褥瘡の発生及び悪化を抑制することができる。
【００４４】
本実施形態に係る吸収性物品１０においては、第１側部１６の側縁部１６ａに第１弾性体の収縮作用による弾性部が位置し、第２側部１７の側縁部１７ａに第２弾性体の収縮作用による弾性部が位置することによって、愛玩動物５の胴体及び脚周りに対するフィット性が付与されている。したがって、これらの弾性部が、止着部２１と受止部２２とによる連結とともに吸収性物品１０の身体に対するフィット性を向上させるための手段として機能しうる。
【００４５】
再び、図１及び５を参照すると、第１区域１１の止着部２１を第２区域１２の受止部２２に止着した状態において、第２側部１７の側縁部１７ａは、側面視覚において愛玩動物の身体（胴体）に対して斜め下方へ延びている。このように、着用状態において、側縁部１７ａが身体に対して斜めに延びていることから、側面視において側縁部１７ａが身体沿ってその長さ方向へ延びる場合に比べて、背側が露出した状態となるので、吸収性物品１０内の蒸れを防止することができる。
【００４６】
＜変形例１＞
図７（ａ）は、変形例の一例における吸収性物品１０の図２と同様の展開平面図、図７（ｂ）は、変形例の一例における吸収性物品１０を使用するときの態様を示す図である。
【００４７】
本変形例においては、止着部２１は第１区域１１の肌対向面側に位置し、受止部２２は、第２区域１２の肌対向面側（非肌対向面側でもよい）に位置している。すなわち、図７（ｂ）を参照すると、止着部２１が第１区域１１の肌対向面側に位置しているので、止着部２１を内層シート２０の一部から形成された受止部２２に止着して第１区域１１の端部１１Ａと第２区域１２の端部１２Ａとを合掌状に連結することができる。また、止着部２１を第２区域１２の端部１２Ａの非肌対向面側に位置し、外層シート３０の一部から形成された受止部２２に止着して、第１区域１１の端部１１Ａと第２区域１２の端部１２Ａとを着用状態において前後方向に重畳するように連結することもできる。
【００４８】
＜変形例２＞
図８（ａ）は、他の変形例における吸収性物品１０の図３と同様の展開平面図、図８（ｂ）は、図８のＶＩＩＩ（ｂ）−ＶＩＩＩ（ｂ）線に沿う断面図である。
【００４９】
図８（ａ）及び（ｂ）を参照すると、本変形例において、第１区域１１の端部１１Ａの非肌対向面側には、テープファスナ８０が配置される。テープファスナ８０は、断面Ｚ字型に折り畳まれた一連のテープ材料から形成されており、ホットメルト接着剤を塗布してなる接合域７９を介して第１区域１１に固定された固定部８１と、固定部８１に折り曲げられた状態で仮止めされた自由部８２とを有する。テープファスナ８０の自由部８２は、固定部８１と連なりそれと折曲された状態におけるテープファスナ８０の厚さ方向Ｚにおいて対向する第１自由部８２Ａと、第１自由部８２Ａに連なりそれと厚さ方向Ｚにおいて対向する第２自由部８２Ｂとを有する。テープファスナ８０は、さらに、第１折曲部８３Ａと第１折曲部８３Ａの幅方向Ｘの外側に位置する第２折曲部８３Ｂとを有し、固定部８１，第１及び第２自由部８２Ａ，８２Ｂは、積層された状態において第１及び第２折曲部８３Ａ，８３Ｂに位置する仮止め部８５，８６によって仮止めされる。自由部８２は、第１折曲部８３Ａに位置する仮止め部８５から幅方向Ｘの外側に延びる摘持部８７をさらに有する。仮止め部８５，８６間における第２自由部８２Ｂの内面には、止着部８８が配置される。止着部８８は、テープ材料に取り付けられた、メカニカルファスナのフック要素を有するフックシートから形成される。仮止め部８５，８６は、公知の加圧処理や加圧加熱処理を施すことによって形成することができ、例えば、公知のエンボス処理やソニック処理を用いることができる。
【００５０】
このように、止着部８８がテープファスナ８０の自由部８２に配置されていることから、吸収性物品１０を愛玩動物５に着用させるときには、使用者が摘持部８７を摘持して幅方向Ｘの外側へ向かう方向へ引っ張り、仮止め部８５，８６による仮止を解除することによってテープファスナ８０を展開する。使用者が摘持部８７を摘持した状態のまま第２区域１２の非肌対向面側に位置する受止部２２に止着部８８を押し当てて止着する。止着部８８がテープファスナ８０の自由部８２に位置することによって、比較的に胴回りの大きな愛玩動物に着用した状態において、第１区域１１の端部と第２区域１２の端部とが互いに重ならない又は互いに重なる部分が比較的に小さい場合であっても、テープファスナ８０を掛けまわすことによって第１区域１１と第２区域１２とを安定的に連結することができる。また、テープファスナ８０の接合域７９の端縁７９ａと吸収性物品１０の端縁１０ａとがテープファスナ８０による剛性によって身体を刺激しないように、長手方向Ｙにおいて離間している。このように、端縁７９ａが端縁１０ａから離間している場合には、該離間部分が身体から浮き上がってしまうおそれがあるが、テープファスナ８０を展開して止着部８８を受止部２２に止着した状態において、該離間部分は身体へ向かって押し当てられるので、身体からの浮き上がりを抑制することができる。
【００５１】
なお、テープファスナ８０は、第１区域１１の非肌対向面側ではなく、肌対向面側に配置されていてもよい。かかる場合には、本変形例のように断面Ｚ字状ではなく、例えば、平面視においてＹ状又はＩ状に配置されたテープファスナを用いることができる。また、テープファスナ８０は、使用後に、吸収性物品１０を丸めて廃棄するときに、丸めた状態を維持するための廃棄用テープとしても利用することができる。
【００５２】
吸収性物品１０を構成する部材には、特に明記されていない限りにおいて、本明細書に記載されている材料のほかに、この種の分野において通常用いられている公知の材料を制限なく用いることができる。また、本明細書において使用されている「第１」、「第２」及び「第３」等の用語は、同様の要素、位置等を単に区別するために用いてある。
【符号の説明】
【００５３】
５  愛玩動物
６  尻尾
１０  愛玩動物用の吸収性物品
１０ａ  第１端縁
１０ｂ  第２端縁
１１  第１区域
１２  第２区域
１３  尻尾対向域
１５  吸収性コア
１６  第１側部（一方又は他方側部）
１７  第２側部（一方又は他方側部）
２０  内層シート
２１  止着部
２２  受止部
３０  外層シート
６１  第１弾性部材
６２  第２弾性部材
６３  第３弾性部材
Ｘ  幅方向
Ｙ  長手方向
【図１】
0006478880.tif 000002
【図２】
0006478880.tif 000003
【図３】
0006478880.tif 000004
【図４】
0006478880.tif 000005
【図５】
0006478880.tif 000006
【図６】
0006478880.tif 000007
【図７】
0006478880.tif 000008
【図８】
0006478880.tif 000009